(57)【要約】【課題】外部からの音に起因する振動を抑制し、パフォーマンスの低下を抑制するディスク装置を提供する。【解決手段】ディスク装置は、ディスク状の記録媒体１６が収容される筺体１０のトップカバー１４と、記録媒体を回転させる駆動部と、記録媒体に情報処理を行わせるためのヘッド１７と、ヘッドと電気的に接続するフレキシブルプリント回路基板（ＦＰＣ）２１ｂと、トップカバーの、フレキシブルプリント回路基板（ＦＰＣ）に対向する位置に設けられる開口部５０と、トップカバーとは別体で構成され、トップカバーの開口部を塞ぐように構成される開口閉塞部５６と、を備えている。【選択図】    図４
2011123953.tif 000002
【特許請求の範囲】
【請求項１】
ディスク状の記録媒体が収容される筺体のトップカバーと、
前記記録媒体を回転させる駆動部と、
前記記録媒体に情報処理を行わせるためのヘッドと、
前記ヘッドと電気的に接続するフレキシブルプリント回路基板（ＦＰＣ）と、
前記トップカバーの、前記フレキシブルプリント回路基板（ＦＰＣ）に対向する位置に設けられる開口部と、
前記トップカバーとは別体で構成され、前記トップカバーの開口部を塞ぐように構成される開口閉塞部と、を備えることを特徴とするディスク装置。
【請求項２】
ディスク状の記録媒体が収容される筺体のトップカバーと、
前記記録媒体を回転させる駆動部と、
前記記録媒体に情報処理を行わせるためのヘッドと、
前記ヘッドと電気的に接続するフレキシブルプリント回路基板（ＦＰＣ）と、
前記トップカバーの、前記ヘッドの移動領域と対向する位置に設けられる開口部と、
前記トップカバーとは別体で構成され、前記トップカバーの開口部を塞ぐように構成される開口閉塞部と、を備えることを特徴とするディスク装置。
【請求項３】
ディスク状の記録媒体が収容される筺体のトップカバーと、
前記記録媒体を回転させる駆動部と、
前記記録媒体に情報処理を行わせるためのヘッドと、
前記ヘッドと電気的に接続するフレキシブルプリント回路基板（ＦＰＣ）と、
前記トップカバーの、前記フレキシブルプリント回路基板（ＦＰＣ）に対向する位置、および、前記ヘッドの移動領域と対向する位置に設けられる開口部と、
前記トップカバーとは別体で構成され、前記トップカバーの開口部を塞ぐように構成される開口閉塞部と、を備えることを特徴とするディスク装置。
【請求項４】
前記ヘッドを前記記録媒体に対して移動可能に支持するアクチュエータを更に備え、
前記アクチュエータは、軸受部、この軸受部から延出したアーム、および前記ヘッドを支持したサスペンションを有し、前記トップカバーの開口は、前記アームおよびサスペンションと対向していることを特徴とする請求項２又は３に記載のディスク装置。
【請求項５】
前記トップカバーは凹所を有し、前記開口は前記凹所の底に形成され、前記開口閉塞部は、前記凹所内に配設されていることを特徴とする請求項１ないし４のいずれか１項に記載のディスク装置。
【請求項６】
前記開口閉塞部は、前記開口の周囲において、接着剤により前記トップカバーに貼付されていることを特徴とする請求項１ないし５のいずれか１項に記載のディスク装置。
【請求項７】
前記開口閉塞部は、前記トップカバーよりも高い共振周波数を有していることを特徴とする請求項１ないし３のいずれか１項に記載のディスク装置。
【請求項８】
前記開口閉塞部は、前記トップカバーと同一の材料、あるいは、トップカバーよりも比重の大きい材料により板状に形成されていることを特徴とする請求項７に記載のディスク装置。
【請求項９】
前記開口閉塞部は、前記トップカバーよりも比重の大きい樹脂材料により形成されていることを特徴とする請求項７に記載のディスク装置。
【発明の詳細な説明】
【技術分野】
【０００１】
この発明は、ディスク状の記録媒体を備えたディスク装置に関する。
【背景技術】
【０００２】
近年、コンピュータの外部記録装置や画像記録装置として磁気ディスク装置、光ディスク装置などのディスク装置が広く用いられている。  
一般に、磁気ディスク装置、例えば、ハードディスクドライブ（以下、ＨＤＤと称する）は、ベースおよびトップカバーを有する密閉構造の筐体を備えている。この筐体内に、磁気ディスク、磁気ディスクを回転駆動するスピンドルモータ、磁気ディスクに対してデータのリード／ライトを行う磁気ヘッド、磁気ヘッドを支持したキャリッジアッセンブリ、ボイスコイルモータ、基板ユニット等が配置されている。基板ユニットは、この基板ユニットからキャリッジアッセンブリへ延びるフレキシブルプリント回路基板（以下、ＦＰＣと称する）により磁気ヘッドに電気的に接続されている。
【０００３】
上記のような磁気ディスク装置では、シーク時のスピンドルモータの回転およびアクチュエータによる磁気ヘッドシーク動作を主な振動源として振動が発生する。この振動は、トップカバーにも伝播されるため、トップカバーが騒音放出する。このようなスピンドルモータあるいはアクチュエータの動作に起因するトップカバーの振動を抑制するため、トップカバーに凹所を設け、この凹所に、粘弾性材を介して防振板を貼り付けたディスク装置が提案されている（例えば、特許文献１）
また、トップカバーにおいて、ボイスコイルモータと対向する位置に開口を形成し、この開口内でボイスコイルモータにダンパーを固定するとともに、開口を制振部材で塞いだディスク装置が提案されている（例えば、特許文献２）。
【先行技術文献】
【特許文献】
【０００４】
【特許文献１】特開２００２−２９８５６７号公報
【特許文献２】特開２００４−１７８６７７号公報
【発明の概要】
【発明が解決しようとする課題】
【０００５】
一方、ディスク装置において、外部からの大音響を受けると、そのパフォーマンスが低下する現象が確認されている。外部からの音による振動がトップカバーを振動させ、それがディスク装置内の空気を伝播して、磁気ヘッドや、磁気ヘッドからの信号を基板ユニットに伝えるＦＰＣを振動させることが原因と考えられる。上述したディスク装置では、このような外部からの音に起因するトップカバーの振動抑制については考慮されていない。  
また、磁気ヘッド上の領域、あるいは、ＦＰＣ上の領域は、内部クリアランスに余裕のない箇所であり、前述した特許文献１のように、凹所を設けることが難しい。
【０００６】
この発明は以上の点に鑑みなされたもので、その目的は、外部からの音に起因する振動を抑制し、パフォーマンスの低下を抑制するディスク装置を提供することにある。
【課題を解決するための手段】
【０００７】
上記目的を達成するため、この発明の態様に係るディスク装置は、ディスク状の記録媒体が収容される筺体のトップカバーと、前記記録媒体を回転させる駆動部と、前記記録媒体に情報処理を行わせるためのヘッドと、前記ヘッドと電気的に接続するフレキシブルプリント回路基板（ＦＰＣ）と、前記トップカバーの、前記フレキシブルプリント回路基板（ＦＰＣ）に対向する位置に設けられる開口部と、前記トップカバーとは別体で構成され、前記トップカバーの開口部を塞ぐように構成される開口閉塞部と、を備えている。
【０００８】
この発明の他の態様に係るディスク装置は、ディスク状の記録媒体が収容される筺体のトップカバーと、前記記録媒体を回転させる駆動部と、前記記録媒体に情報処理を行わせるためのヘッドと、前記ヘッドと電気的に接続するフレキシブルプリント回路基板（ＦＰＣ）と、前記トップカバーの、前記ヘッドの移動領域と対向する位置に設けられる開口部と、前記トップカバーとは別体で構成され、前記トップカバーの開口部を塞ぐように構成される開口閉塞部と、を備えている。
【発明の効果】
【０００９】
上記構成によれば、外部からの大音響でパフォーマンスが低下しにくいディスク装置を提供することができる。
【図面の簡単な説明】
【００１０】
【図１】図１は、この発明の第１の実施形態に係るＨＤＤを示す斜視図。
【図２】図２は、前記ＨＤＤを、そのトップカバーを取外して示す分解斜視図。
【図３】図３は、前記トップカバーおよびプレートを示す分解斜視図。
【図４】図４は、前記ＨＤＤの平面図。
【図５】図５は、図２の線Ａ−Ａに沿ったトップカバーの断面図。
【図６】図６は、本実施形態に係るＨＤＤと比較例に係るＨＤＤとについて、初期状態および大音響下におけるデータ読取り能力を測定比較した結果を示す図。
【図７】図７は、この発明の他の実施形態に係るＨＤＤのトップカバーを示す断面図。
【図８】図８は、第２の実施形態に係るＨＤＤを示す平面図。
【図９】図９は、第３の実施形態に係るＨＤＤを示す平面図。
【発明を実施するための形態】
【００１１】
以下図面を参照しながら、この発明の実施形態に係るＨＤＤについて詳細に説明する。  
図１は、第１の実施形態に係るＨＤＤを示す斜視図、図２は、ＨＤＤのトップカバーを取り外して内部構造を示す分解斜視図である。
【００１２】
図１および図２に示すように、ＨＤＤは筐体１０を備えている。この筐体１０は、上面の開口した矩形箱状のベース１２と、矩形板状のトップカバー１４とを備えている。トップカバーは、複数のねじ１５によりベース１２にねじ止めされ、ベース１２の上端開口を閉塞している。
【００１３】
ベース１２内には、記録媒体としての磁気ディスク１６および機構部が設けられている。機構部は、磁気ディスク１６を支持および回転させるスピンドルモータ１８、磁気ディスクに対して情報の記録、再生を行なう複数の磁気ヘッド１７、これらの磁気ヘッド１７を磁気ディスク１６に対して移動自在に支持したヘッドアクチュエータ２０、ヘッドアクチュエータを回動および位置決めするボイスコイルモータ（以下ＶＣＭと称する）２２、磁気ヘッドが磁気ディスクの最外周に移動した際、磁気ヘッド１７を磁気ディスクから離間した位置に保持するランプロード機構２４、ＨＤＤに衝撃等が作用した際、ヘッドクチュエータを退避位置に保持するイナーシャラッチ機構２６、およびプリアンプ等の電子部品が実装された基板ユニット２１が収納されている。
【００１４】
ベース１２の外面には、基板ユニット２１を介してスピンドルモータ１８、ＶＣＭ２２、および磁気ヘッド１７の動作を制御する、図示しないプリント回路基板がねじ止めされ、ベース１２の底壁と対向して位置している。
【００１５】
磁気ディスク１６は、例えば、直径６５ｍｍ（２．５インチ）に形成され、上面および下面に磁気記録層を有している。磁気ディスク１６は、スピンドルモータ１８の図示しないハブに互いに同軸的に嵌合されているとともにクランプばね２７によりクランプされ、ハブに固定されている。そして、磁気ディスク１６は、駆動部としてのスピンドルモータ１８により所定の速度、例えば、５４００ｒｐｍあるいは７２００ｒｐｍの速度で回転駆動される。
【００１６】
ヘッドアクチュエータ２０は、ベース１２の底壁１２ａ上に固定された軸受組立体３０を備えている。軸受部として機能する軸受組立体３０は、ベース１２の底壁１２ａに立設された枢軸３２と、枢軸に一対の軸受を介して回転自在に支持された円筒形状のハブ３４と、を有している。ヘッドアクチュエータ２０は、ハブ３４に取り付けられた２本のアーム３６、それぞれのアームから延出した２本のサスペンション３８、サスペンションの延出端に支持された磁気ヘッド１７、および複数のスペーサリングを備えている。なお、各サスペンション３８は対応するアーム３６と一体に形成されていてもよい。
【００１７】
各磁気ヘッド１７は、図示しないほぼ矩形状のスライダとこのスライダに形成された記録再生用のＭＲ（磁気抵抗）ヘッド素子とを有し、サスペンション３８の先端部に形成されたジンバル部に固定されている。各磁気ヘッド１７は、それぞれ図示しない中継フレキシブルプリント回路基板（以下、中継ＦＰＣと称する）を介して後述するメインＦＰＣ２１ｂに電気的に接続されている。中継ＦＰＣは、全体として細長い帯状に形成され、その先端は磁気ヘッド１７に電気的に接続されているとともに、その基端部はメインＦＰＣ２１ｂに電気的に接続されている。これにより、各磁気ヘッド１７は、中継ＦＰＣおよびメインＦＰＣ２１ｂを介して基板ユニット２１に電気的に接続されている。
【００１８】
ハブ３４の外周に嵌合されたアーム２７は所定の間隔を置いて互いに平行に位置し、これらのアームに取り付けられたサスペンション３８および磁気ヘッド３３は互いに向かい合って位置している。
【００１９】
ＶＣＭ２２は、ハブ３４からアーム２７と反対方向に延出した図示しない支持フレーム、および支持フレームに支持されたボイスコイルを有している。ヘッドアクチュエータ２０をベース１２に組み込んだ状態において、ボイスコイルは、ベース１２上に固定された一対のヨーク４０間に位置し、これらのヨークおよび一方のヨークに固定された図示しない磁石とともにＶＣＭ２２を構成している。そして、ボイスコイルに通電することにより、ヘッドアクチュエータ２０が回動し、磁気ヘッド１７は磁気ディスク１６の所望のトラック上に移動および位置決めされる。
【００２０】
ランプロード機構２４は、ベース１２の底壁１２ａに設けられているとともに磁気ディスク１６の外側に配置されたランプ４２と、各サスペンション３８の先端から延出した図示しないタブと、を備えている。ヘッドアクチュエータ２０が回動し、磁気ヘッド１７が磁気ディスク１６の外側の退避位置まで回動する際、各タブは、ランプ４２に形成されたランプ面と係合し、その後、ランプ面の傾斜によって引き上げられる。これにより、磁気ヘッド１７は磁気ディスク１６からアンロードされ、磁気ディスクの外側に保持される。
【００２１】
基板ユニット２１は、フレキシブルプリント回路基板により形成された本体２１ａを有し、この本体２１ａはベース１２の底壁１２ａに固定されている。本体２１ａ上にはヘッドアンプ等の電子部品が実装されている。基板ユニット２１は本体２１ａから延出したメインフレキシブルプリント回路基板（メインＦＰＣ）２１ｂを有している。メインＦＰＣ２１ｂの延出端は、ヘッドアクチュエータ２０の軸受部３０近傍に接続され、更に、アーム３６およびサスペンション３８上に設けられた中継ＦＰＣを介して磁気ヘッド１７に電気的に接続されている。基板ユニット２１の本体２１ａの底面には、基板ユニット２１とプリント回路基板と接続するための図示しないコネクタが実装されている。
【００２２】
図１ないし図３に示すように、矩形板状のトップカバー１４は、例えば、板厚０．２５ｍｍ程度のアルミニウム合金板、ステンレス合金（ＳＰＢ）等をプレス成形することにより形成されている。トップカバー１４の４つのコーナ部、および一対の長辺側の側縁のほぼ中央には、それぞれ第１透孔４３が形成されている。トップカバー１４は、各第１透孔４３に挿通されたねじ１６をベース１２の周縁部に形成されたねじ孔にねじ込むことによりベース１２に締結され、ベースの上端開口を閉塞している。トップカバー１４は、磁気ディスク１６と所定の隙間をおいてほぼ平行に対向している。
【００２３】
トップカバー１４において、軸受組立体３０の枢軸３２と対向する位置には、第２透孔４５が形成されている。第２透孔４５に挿通された固定ねじ４６を枢軸３２の上端部にねじ込むことにより、トップカバー１４の一部と枢軸３２とが締結されている。従って、枢軸３２は、筐体１０のベース１２およびトップカバー１４により両端部が支持されている。
【００２４】
図１ないし図４に示すように、トップカバー１４において、磁気ディスク１６と対向する領域には、トップカバーの剛性を高めるため、また、磁気ディスク１６の回転に伴う乱流の発生を抑制するため、絞りにより凹所４４が形成されている。凹所４４は、磁気ディスク１６の回転中心とほぼ同芯の中心を有した円弧状、あるいは馬蹄形状に形成され、磁気ディスク１６の表面と対向して位置している。
【００２５】
図１ないし図５に示すように、トップカバー１４において、磁気ヘッド１７の移動領域、つまり、シーク領域と対向する領域、アーム３６およびサスペンション３８の移動領域と対向する領域、および、メインＦＰＣ２１ｂと対向する領域に、１つの開口５０が形成されている。本実施形態において、トップカバー１４には、凹所５２が形成され、この凹所５２の底に開口５０が形成されている。凹所５２は、開口５０と相似形状を有し、開口５０よりも僅かに大きく形成されている。
【００２６】
開口５０を覆って、平坦なプレート５６がトップカバー１４に貼付されている。開口閉塞部として機能するプレート５６は、トップカバーとは別体で構成され、開口５０よりも僅かに大きく、かつ、凹所５２よりも僅かに小さく形成されている。プレート５６は、凹所５２内に配置され、開口５０の周囲において、接着剤５８によりトップカバー１４、ここでは、凹所５２の底壁に気密に貼付されている。これにより、プレート５６は、開口５０を気密に閉じているとともに、凹所５２内に位置し、トップカバー１４の外面とほぼ面一に配置されている。プレート５６は、接着剤５８を介在することにより、トップカバー１４に直接、接触することなく、トップカバーに固定されている。
【００２７】
プレート５６は、トップカバー１４の共振周波数よりも高く、かつ、トップカバー１４の共振周波数に出来るだけ近い共振周波数を有するように、比重、厚さ、材料を選択して形成されている。プレート５６は、例えば、トップカバー１４と同一の金属材料、例えば、ＳＰＢにより形成され、あるいは、トップカバー１４よりも比重の大きい金属材料により形成される。また、プレート５６は、金属材料に限らず、トップカバー１４よりも比重の大きい樹脂材料等によって形成してもよい。  
接着剤５８は、樹脂系接着剤等、種々の接着剤を用いることができる。接着剤５８は、弾性を有していることが望ましい。
【００２８】
以上のように構成されたＨＤＤによれば、トップカバー１４において、磁気ヘッドのシーク領域、およびメインＦＰＣと対向する領域に開口５０を開け、別のプレート５６で覆っている。開口５０の開いたトップカバー１４と、貼り付けられるプレート５６とは共振周波数が異なるため、これらを接着剤５８で固定することで互いの共振を抑制する効果が得られる。これにより、筐体１０の内部空間の高さを確保したままで、外部からの振動を抑制し、磁気ヘッドやメインＦＰＣに伝え難くすることができる。従って、大音量等の外部からの空気の振動に起因する能力の低下、例えば、磁気ヘッド１７の位置決め精度の低下を防止することができる。
【００２９】
プレート５６の重量がトップカバー１４に対し十分に重い方が制振効果が高い。また、プレート５６の共振周波数が、トップカバー１４と比較して高く、また互いの共振周波数が近い方が制振効果が高い。トップカバー１４に開口５０を形成することにより、トップカバー１４の共振周波数をプレート５６の共振周波数に近付けることができる。トップカバー１４とプレート５６を接着する接着剤５８として制振効果を持つ樹脂材を使用することで、より高い効果が期待できる。
【００３０】
図６は、本実施形態に係るＨＤＤと、比較例に係るＨＤＤとについて、外部音響に対する能力の低下を比較した結果を示している。比較例に係るＨＤＤにおいて、トップカバーは、開口を持たないものをノーマル、開口を有するものを開口あり、としている。プレートとして、厚さおよび重さの異なる３種類のプレートＡ、Ｂ、Ｃを用い、これらのプレートをトップカバーに貼付していない場合、およびプレートをトップカバーに貼付した場合について、能力を比較している。
【００３１】
図６に示すように、外部からの音がない「初期」状態において、Ｎ０．１ないし５の各ＨＤＤの信号読取り能力を１００％としている。大音響下では、ノーマルでプレート無しのＨＤＤは、いずれも、信号読取り能力が１％、あるいは、読取り不可となっている。開口を持たないノーマルのトップカバーに、プレートＡあるいはＢを貼付したＨＤＤでは、信号読取り能力が３〜６％となっている。これに対して、開口ありのトップカバーにプレートを貼付したＨＤＤの場合、いずれも信号読取り能力が５〜１０％に向上している。
【００３２】
また、上記ＨＤＤによれば、トップカバーは、ヘッドがシークする領域およびＦＰＣ上の領域の少なくとも一方と対向する領域に開口を有しているため、トップカバーの開口を開ける面を予め低く設計することができる。トップカバーにプレートを貼り付けた場合でも、装置高さの制限を超えないように、また他の面より高くならないように設計することができる。更に、本実施形態では、トップカバー１４に凹所５２を設け、この凹所に開口５０を形成し、凹所内にプレート５６を設けることにより、プレート５６がトップカバー１４の外面から突出することがない。そのため、プレート５６の部分が外部から押さえられやすい箇所となることがなく、磁気ヘッド、およびメインＦＰＣの上を押さえつけられることが防止される。
【００３３】
第１の実施形態では、トップカバー１４に凹所を設け、この凹所内にプレート５６を配置する構成としたが、図７に示すように、トップカバー１４に凹所を設けることなく、トップカバー１４の外面にプレート５６を貼付し、開口５０を覆う構成としてもよい。このような構成においても、第１の実施形態と同様の作用効果を得ることができる。また、トップカバー１４の開口５０を開ける面を予め低く設計することができる。トップカバーにプレートを貼り付けた場合でも、装置高さの制限を超えないように、また他の面より高くならないように設計することができる。
【００３４】
次に、この発明の他の実施形態に係るＨＤＤについて説明する。  
図８は、第２の実施形態に係るＨＤＤを示す平面図である。この図に示すように、トップカバー１４において、メインＦＰＣ２１ｂと対向する領域に、１つの開口５０が形成されている。トップカバー１４には、凹所５２が形成され、この凹所５２の底に開口５０が形成されている。凹所５２は、開口５０と相似形状を有し、開口５０よりも僅かに大きく形成されている。
【００３５】
開口５０を覆って、平坦なプレート５６がトップカバー１４に貼付されている。プレート５６は、開口５０よりも僅かに大きく、かつ、凹所５２よりも僅かに小さく形成されている。プレート５６は、凹所５２内に配置され、開口５０の周囲において、接着剤によりトップカバー１４、ここでは、凹所５２の底壁に気密に貼付されている。これにより、プレート５６は、開口５０を気密に閉じているとともに、凹所５２内に位置し、トップカバー１４の外面とほぼ面一に配置されている。プレート５６は、接着剤を介在することにより、トップカバー１４に直接、接触することなく、トップカバーに固定されている。
【００３６】
プレート５６は、トップカバー１４の共振周波数よりも高く、かつ、トップカバー１４の共振周波数に出来るだけ近い共振周波数を有するように、比重、厚さ、材料を選択して形成されている。プレート５６は、例えば、トップカバー１４と同一の金属材料、例えば、ＳＰＢにより形成され、あるいは、トップカバー１４よりも比重の大きい金属材料により形成される。また、プレート５６は、金属材料に限らず、トップカバー１４よりも比重の大きい樹脂材料等によって形成してもよい。接着剤５８は、樹脂系接着剤等、種々の接着剤を用いることができる。接着剤５８は、弾性を有していることが望ましい。  
第２の実施形態において、ＨＤＤの他の構成は前述した第１の実施形態と同一であり、同一の部分には同一の参照符号を付してその詳細な説明を省略する。
【００３７】
上記のように構成されたＨＤＤによれば、プレート５６およびトップカバー１４により、外部からの音に起因する振動を抑制し、メインＦＰＣ２１ｂに伝わる振動を大幅に低減することができる。これにより、磁気ヘッドの位置決め精度の低下、信号読取り能力の低下を防止することが可能となる。その他、第２の実施形態においても、第１の実施形態と同様の作用効果を得ることができる。
【００３８】
図９は、第３の実施形態に係るＨＤＤを示す平面図である。第３の実施形態によれば、トップカバー１４において、磁気ヘッド１７の移動領域、つまり、シーク領域と対向する領域およびアーム３６およびサスペンション３８の移動領域と対向する領域に、１つの開口５０が形成されている。本実施形態において、トップカバー１４には、凹所５２が形成され、この凹所５２の底に開口５０が形成されている。凹所５２は、開口５０と相似形状を有し、開口５０よりも僅かに大きく形成されている。
【００３９】
開口５０を覆って、平坦なプレート５６がトップカバー１４に貼付されている。プレート５６は、開口５０よりも僅かに大きく、かつ、凹所５２よりも僅かに小さく形成されている。プレート５６は、凹所５２内に配置され、開口５０の周囲において、接着剤５８によりトップカバー１４、ここでは、凹所５２の底壁に気密に貼付されている。これにより、プレート５６は、開口５０を気密に閉じているとともに、凹所５２内に位置し、トップカバー１４の外面とほぼ面一に配置されている。プレート５６は、接着剤５８を介在することにより、トップカバー１４に直接、接触することなく、トップカバーに固定されている。
【００４０】
プレート５６は、トップカバー１４の共振周波数よりも高く、かつ、トップカバー１４の共振周波数に出来るだけ近い共振周波数を有するように、比重、厚さ、材料を選択して形成されている。プレート５６は、例えば、トップカバー１４と同一の金属材料、例えば、ＳＰＢにより形成され、あるいは、トップカバー１４よりも比重の大きい金属材料により形成される。また、プレート５６は、金属材料に限らず、トップカバー１４よりも比重の大きい樹脂材料等によって形成してもよい。接着剤５８は、樹脂系接着剤等、種々の接着剤を用いることができる。接着剤５８は、弾性を有していることが望ましい。
【００４１】
第３の実施形態において、ＨＤＤの他の構成は前述した第１の実施形態と同一であり、同一の部分には同一の参照符号を付してその詳細な説明を省略する。  
上記のように構成されたＨＤＤによれば、プレート５６およびトップカバー１４により、外部からの音に起因する振動を抑制し、磁気ヘッド１７、ヘッドアクチュエータ２０に伝わる振動を大幅に低減することができる。これにより、磁気ヘッドの位置決め精度の低下、信号読取り能力の低下を防止することが可能となる。その他、第３の実施形態においても、第１の実施形態と同様の作用効果を得ることができる。
【００４２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４３】
例えば、トップカバーに形成する開口およびプレートの形状や大きさは、前述した実施形態に限定されることなく、必要に応じて種々変形可能である。プレートは、板状に限らず、他の形状としてもよい。磁気ディスク装置において、磁気ディスクおよび磁気ヘッドの数は、必要に応じて増加可能であり、磁気ディスクのサイズも種々選択可能である。
【符号の説明】
【００４４】
１０…筺体、１２…ベース、１２ａ…底壁、１２ｂ…側壁、１４…トップカバー、
１６…磁気ディスク、１７…磁気ヘッド、１８…スピンドルモータ、
２０…ヘッドアクチュエータ、２１…基板ユニット、２１ｂ…メインＦＰＣ、
３０…軸受部、３６…アーム、３８…サスペンション、５０…開口、５２…凹所、
５６…プレート、５８…接着剤
【図１】
2011123953.tif 000003
【図２】
2011123953.tif 000004
【図３】
2011123953.tif 000005
【図４】
2011123953.tif 000006
【図５】
2011123953.tif 000007
【図６】
2011123953.tif 000008
【図７】
2011123953.tif 000009
【図８】
2011123953.tif 000010
【図９】
2011123953.tif 000011
【手続補正書】
【提出日】平成22年12月1日(2010.12.1)
【手続補正１】
【補正対象書類名】明細書
【補正対象項目名】０００７
【補正方法】変更
【補正の内容】
【０００７】
この発明の態様に係るディスク装置は、ディスク状の記録媒体を備える筺体のトップカバーと、前記記録媒体を回転させる駆動部と、前記記録媒体に情報処理を行うヘッドと、前記ヘッドに電気的に接続されたフレキシブルプリント回路基板（ＦＰＣ）と、前記フレキシブルプリント回路基板（ＦＰＣ）に対向する位置で、前記トップカバーに設けられた開口部と、前記トップカバーから分離され、前記トップカバーの開口部を塞ぐように構成された閉塞部と、を備えている。
【手続補正２】
【補正対象書類名】明細書
【補正対象項目名】０００８
【補正方法】変更
【補正の内容】
【０００８】
この発明の他の態様に係るディスク装置は、ディスク状の記録媒体を備える筺体のトップカバーと、前記記録媒体を回転させる駆動部と、前記記録媒体に情報処理を行うヘッドと、前記ヘッドに電気的に接続されたフレキシブルプリント回路基板（ＦＰＣ）と、前記ヘッドの移動領域に対向する位置で、前記トップカバーに設けられた開口部と、前記トップカバーから分離され、前記トップカバーの開口部を塞ぐように構成された閉塞部と、を備えている。
【手続補正３】
【補正対象書類名】特許請求の範囲
【補正対象項目名】全文
【補正方法】変更
【補正の内容】
【特許請求の範囲】
【請求項１】
ディスク状の記録媒体を備える筺体のトップカバーと、
前記記録媒体を回転させる駆動部と、
前記記録媒体に情報処理を行うヘッドと、
前記ヘッドに電気的に接続されたフレキシブルプリント回路基板（ＦＰＣ）と、
前記フレキシブルプリント回路基板（ＦＰＣ）に対向する位置で、前記トップカバーに設けられた開口部と、
前記トップカバーから分離され、前記トップカバーの開口部を塞ぐように構成された閉塞部と、を備えるディスク装置。
【請求項２】
ディスク状の記録媒体を備える筺体のトップカバーと、
前記記録媒体を回転させる駆動部と、
前記記録媒体に情報処理を行うヘッドと、
前記ヘッドに電気的に接続されたフレキシブルプリント回路基板（ＦＰＣ）と、
前記ヘッドの移動領域に対向する位置で、前記トップカバーに設けられた開口部と、
前記トップカバーから分離され、前記トップカバーの開口部を塞ぐように構成された閉塞部と、を備えるディスク装置。
【請求項３】
ディスク状の記録媒体を備える筺体のトップカバーと、
前記記録媒体を回転させる駆動部と、
前記記録媒体に情報処理を行うヘッドと、
前記ヘッドに電気的に接続されたフレキシブルプリント回路基板（ＦＰＣ）と、
前記フレキシブルプリント回路基板（ＦＰＣ）に対向する位置および前記ヘッドの移動領域に対向する位置で、前記トップカバーに設けられた開口部と、
前記トップカバーから分離され、前記トップカバーの開口部を塞ぐように構成された閉塞部と、を備えるディスク装置。
【請求項４】
前記ヘッドを移動可能に支持するアクチュエータを更に備え、
前記アクチュエータは、軸受部、この軸受部から延出したアーム、および前記ヘッドを支持したサスペンションを有し、前記トップカバーの開口部は、前記アームおよび前記サスペンションの位置にある請求項１ないし３のいずれか１項に記載のディスク装置。
【請求項５】
前記トップカバーは凹所を有し、前記開口部は前記凹所の底にあり、前記閉塞部は、前記凹所内にある請求項４に記載のディスク装置。
【請求項６】
前記閉塞部は、接着剤により前記トップカバーに貼付されている請求項１ないし５のいずれか１項に記載のディスク装置。
【請求項７】
前記閉塞部は、前記トップカバーよりも高い共振周波数を有している請求項１ないし６のいずれか１項に記載のディスク装置。
【請求項８】
前記閉塞部は、前記トップカバーと同一の材料、あるいは、前記トップカバーよりも比重の大きい材料で板状に形成されている請求項１ないし７のいずれか１項に記載のディスク装置。
【請求項９】
前記閉塞部は、前記トップカバーよりも比重の大きい樹脂材料で形成されている請求項１ないし７のいずれか１項に記載のディスク装置。